(57)【要約】【課題】  放射線検出装置と画像表示装置との間で無線通信をし、かつ、ペースメーカを装着している被験者に対しても撮影する。【解決手段】  放射線撮影システム１００は、被写体Ｓに放射線を照射する放射線源３１と、被写体Ｓを透過した放射線を検出する放射線画像検出装置２と、放射線画像検出装置２の検出結果に基づき放射線画像を表示するコンソール４とを備えている。放射線画像検出装置２に接続された通信部２６と、コンソール４に接続された通信部４６とは、無線通信を行う。通信部２６及び通信部４６の間の無線通信は、停止ボタン２８によって停止する。【選択図】図２
2006116205.tif 000002
【特許請求の範囲】
【請求項１】
被写体に放射線を照射する放射線照射装置と、
少なくとも前記被写体を透過した放射線を検出する放射線検出装置と、
前記放射線検出装置の検出結果に基づき放射線画像を表示する画像表示装置と、
前記放射線検出装置に接続された第１通信部と、前記画像表示装置に接続された第２通信部との間で無線通信を行う無線通信手段と、
前記無線通信手段による無線通信の停止を制御する通信制御手段とを備えることを特徴とする放射線撮影システム。
【請求項２】
請求項１記載の放射線撮影システムにおいて、
前記放射線検出装置は、
前記放射線照射装置から照射されて前記被写体を透過した放射線を検出し、電気信号に変換して蓄積する放射線画像検出部と、
この放射線画像検出部を収容するカセッテとを備えることを特徴とする放射線撮影システム。
【請求項３】
請求項１または２記載の放射線撮影システムにおいて、
前記通信制御手段は、前記無線通信手段における無線通信を停止させる停止ボタンを前記放射線検出装置に備えていることを特徴とする放射線撮影システム。
【請求項４】
請求項１または２記載の放射線撮影システムにおいて、
前記通信制御手段は、前記無線通信手段における無線通信を停止させる停止手段を前記画像表示装置に備えていることを特徴とする放射線撮影システム。
【請求項５】
請求項１〜４の何れか一項に記載の放射線撮影システムにおいて、
前記通信制御手段は、前記無線通信手段における送信を停止させることを特徴とする放射線撮影システム。
【請求項６】
請求項５記載の放射線撮影システムにおいて、
前記通信制御手段は、前記第１通信部から前記第２通信部への送信を停止させることを特徴とする放射線撮影システム。
【請求項７】
請求項１〜６の何れか一項に記載の放射線撮影システムにおいて、
前記通信制御手段は、停止した無線通信を復帰させる復帰ボタンを前記放射線検出装置に備えることを特徴とする放射線撮影システム。
【請求項８】
請求項１〜６の何れか一項に記載の放射線撮影システムにおいて、
前記通信制御手段は、停止した無線通信を復帰させる復帰手段を前記画像表示装置に備えることを特徴とする放射線撮影システム。
【請求項９】
請求項１〜８の何れか一項に記載の放射線撮影システムにおいて、
前記放射線画像検出器は、複数の放射線画像情報を記憶する記憶装置を備えることを特徴とする放射線撮影システム。
【請求項１０】
請求項１〜９の何れか一項に記載の放射線撮影システムにおいて、
前記画像表示装置は、撮影者から撮影条件が入力されるコンソールと一装置を構成することを特徴とする放射線撮影システム。
【発明の詳細な説明】
【技術分野】
【０００１】
本発明は、Ｘ線画像に代表される放射線画像を撮影する放射線撮影システムに関する。
【背景技術】
【０００２】
従来より、医療診断にあっては、被写体にＸ線等の放射線を照射し、被写体を透過した放射線の強度分布を検出して放射線画像を得る放射線撮影システムが広く利用されている。このような放射線撮影システムでは、放射線を検出して電気信号に変換し、放射線画像情報として蓄積するＦＰＤ（Flat Panel Detector、放射線画像検出部）が用いられるようになっている。
【０００３】
近年、このようなＦＰＤの運搬性・取扱い性を向上させるべく、カセッテに収容されたカセッテ型ＦＰＤが開発されている（例えば、特許文献１，２参照）。また、カセッテ型ＦＰＤを用いる放射線撮影システムとして、カセッテ型ＦＰＤと画像表示装置との間で放射線画像情報等の情報を無線通信可能としたシステムも提案されている（例えば、特許文献３参照）。
【特許文献１】特開平６−３４２０９９号公報
【特許文献２】特開平７−１４０２５５号公報
【特許文献３】特開２００３−２１０４４４号公報
【発明の開示】
【発明が解決しようとする課題】
【０００４】
しかしながら、カセッテ型ＦＰＤと画像表示装置とが無線通信を行う放射線撮影システムにおいては、被験者が心臓にペースメーカを装着していると、無線電波によってペースメーカが誤作動してしまう恐れがあるため、撮影を行うことができなかった。
【０００５】
本発明の課題は、放射線検出装置と画像表示装置との間で無線通信をすることができ、かつ、ペースメーカを装着している被験者に対しても撮影することができる放射線撮影システムを提供することである。
【課題を解決するための手段】
【０００６】
上記課題を解決するため、請求項１記載の発明は、
被写体に放射線を照射する放射線照射装置と、
少なくとも前記被写体を透過した放射線を検出する放射線検出装置と、
前記放射線検出装置の検出結果に基づき放射線画像を表示する画像表示装置と、
前記放射線検出装置に接続された第１通信部と、前記画像表示装置に接続された第２通信部との間で無線通信を行う無線通信手段と、
前記無線通信手段による無線通信の停止を制御する通信制御手段とを備えることを特徴とする。
【０００７】
請求項１記載の発明によれば、放射線検出装置に接続された第１通信部と、画像表示装置に接続された第２通信部とを備えるので、放射線検出装置と画像表示装置との間で無線通信を行うことができる。また、これら第１通信部及び第２通信部の間での無線通信の停止を制御する通信制御手段を備えるので、無線通信を停止させた状態で放射線撮影を行うことができる。従って、従来と異なり、心臓にペースメーカを装着している被験者に対しても、ペースメーカを誤作動させることなく放射線撮影を行うことができる。
【０００８】
なお、無線通信手段の第１通信部は、放射線検出装置と一体的に構成されることとしても良い。また、無線通信手段の第２通信部は、画像表示装置と一体的に構成されることとしても良い。
【０００９】
請求項２記載の発明は、請求項１記載の放射線撮影システムにおいて、
前記放射線検出装置は、
前記放射線照射装置から照射されて前記被写体を透過した放射線を検出し、電気信号に変換して蓄積する放射線画像検出部と、
この放射線画像検出部を収容するカセッテとを備えることを特徴とする。
【００１０】
請求項２記載の発明によれば、放射線検出装置がカセッテに収容されているので、放射線画像検出器の運搬性や取扱い性を高めることができる。
【００１１】
請求項３記載の発明は、請求項１または２記載の放射線撮影システムにおいて、
前記通信制御手段は、前記無線通信手段における無線通信を停止させる停止ボタンを前記放射線検出装置に備えていることを特徴とする。
【００１２】
ここで、無線通信を停止させるとは、無線による送受信のうち、少なくとも送信を停止させることをいう。
請求項３記載の発明によれば、無線通信手段における無線通信を停止させる停止ボタンを放射線検出装置に備えているので、心臓にペースメーカを装着している被験者に放射線撮影を行う場合には、前記停止ボタンを押すことによって無線通信を停止させることができる。
【００１３】
請求項４記載の発明は、請求項１または２記載の放射線撮影システムにおいて、
前記通信制御手段は、前記無線通信手段における無線通信を停止させる停止手段を前記画像表示装置に備えていることを特徴とする。
【００１４】
請求項４記載の発明によれば、無線通信手段における無線通信を停止させる停止手段を画像表示装置に備えているので、心臓にペースメーカを装着している被験者に放射線撮影を行う場合には、前記停止手段を操作することによって無線通信を停止させることができる。
【００１５】
請求項５記載の発明は、請求項１〜４の何れか一項に記載の放射線撮影システムにおいて、
前記通信制御手段は、前記無線通信手段における送信を停止させることを特徴とする。
【００１６】
ここで、無線通信によるペースメーカの誤作動は、無線の送信によって生じる場合が多い。
請求項５記載の発明によれば、通信制御手段は無線通信手段における送信を停止させるので、ペースメーカの誤作動を確実に防止することができる。また、無線通信手段における送受信をともに停止させる場合と比較して、無線通信の制御を容易にすることができる。
【００１７】
請求項６記載の発明は、請求項５記載の放射線撮影システムにおいて、
前記通信制御手段は、前記第１通信部から前記第２通信部への送信を停止させることを特徴とする。
【００１８】
ここで、第１通信部から第２通信部へ送信される情報とは、主に、撮影された放射線画像の画像情報である。
請求項６記載の発明によれば、撮影後に放射線画像情報が第１通信部から第２通信部へ送信されるのを防止することができるので、ペースメーカの誤作動を確実に防止することができる。また、第２通信部から第１通信部に対し、無線通信の復帰タイミングや、放射線照射装置からの照射タイミングに関する情報を送信することができるため、無線通信手段における双方向の送信をともに停止させる場合と比較して、無線通信の制御をより容易にすることができる。
【００１９】
請求項７記載の発明は、請求項１〜６の何れか一項に記載の放射線撮影システムにおいて、
前記通信制御手段は、停止した無線通信を復帰させる復帰ボタンを前記放射線検出装置に備えることを特徴とする。
【００２０】
請求項７記載の発明によれば、停止した無線通信を復帰させる復帰ボタンを画像表示装置に備えるので、撮影後に無線通信を復帰させ、第１通信部から第２通信部へ放射線画像情報を送信させることができる。
【００２１】
請求項８記載の発明は、請求項１〜６の何れか一項に記載の放射線撮影システムにおいて、
前記通信制御手段は、停止した無線通信を復帰させる復帰手段を前記画像表示装置に備えることを特徴とする。
【００２２】
請求項８記載の発明によれば、停止した無線通信を復帰させる復帰手段を画像表示装置に備えるので、撮影後に無線通信を復帰させ、第１通信部から第２通信部へ放射線画像情報を送信させることができる。
【００２３】
請求項９記載の発明は、請求項１〜８の何れか一項に記載の放射線撮影システムにおいて、
前記放射線画像検出器は、複数の放射線画像情報を記憶する記憶装置を備えることを特徴とする。
【００２４】
請求項９記載の発明によれば、放射線画像検出器は複数の放射線画像情報を記憶する記憶装置を備えるので、無線通信を停止させた状態で複数の放射線画像を撮影し、放射線画像情報を記憶装置に記憶させることができる。従って、放射線画像検出器が１つの放射線画像情報のみを記憶する場合と異なり、ペースメーカを装着した被験者に対し、放射線撮影と、被験者を退避させた上での放射線画像情報の送信とを交互に行う必要がなく、連続して放射線撮影を行うことができるので、撮影の効率を高めることができる。
【００２５】
請求項１０記載の発明は、請求項１〜９の何れか一項に記載の放射線撮影システムにおいて、
前記画像表示装置は、撮影者から撮影条件が入力されるコンソールと一装置を構成することを特徴とする。
【００２６】
請求項１０記載の発明によれば、撮影者から撮影条件が入力されるコンソールと画像表示装置とが一装置を構成するので、放射線撮影システムの構成を簡素化することができる。また、無線通信手段を介して、コンソールから放射線検出装置に対し、放射線の照射タイミングや被験者の情報等を送信することができる。
【発明の効果】
【００２７】
請求項１に記載の発明によれば、放射線検出装置と画像表示装置との間で無線通信を行うことができる。また、従来と異なり、心臓にペースメーカを装着している被験者に対しても、ペースメーカを誤作動させることなく放射線撮影を行うことができる。
【００２８】
請求項２記載の発明によれば、請求項１記載の発明と同様の効果を得ることができるのは勿論のこと、放射線画像検出器の運搬性や取扱い性を高めることができる。
【００２９】
請求項３記載の発明によれば、請求項１または２記載の発明と同様の効果を得ることができるのは勿論のこと、心臓にペースメーカを装着している被験者に放射線撮影を行う場合には、前記停止ボタンを押すことによって無線通信を停止させることができる。
【００３０】
請求項４記載の発明によれば、請求項１または２記載の発明と同様の効果を得ることができるのは勿論のこと、心臓にペースメーカを装着している被験者に放射線撮影を行う場合には、前記停止手段を操作することによって無線通信を停止させることができる。
【００３１】
請求項５記載の発明によれば、請求項１〜４の何れか一項に記載の発明と同様の効果を得ることができるのは勿論のこと、通信制御手段は無線通信手段における送信を停止させるので、ペースメーカの誤作動を確実に防止することができる。また、無線通信手段における送受信をともに停止させる場合と比較して、無線通信の制御を容易にすることができる。
【００３２】
請求項６記載の発明によれば、請求項５記載の発明と同様の効果を得ることができるのは勿論のこと、ペースメーカの誤作動を確実に防止することができる。また、無線通信手段における双方向の送信をともに停止させる場合と比較して、無線通信の制御をより容易にすることができる。
【００３３】
請求項７，８記載の発明によれば、請求項１〜６の何れか一項に記載の発明と同様の効果を得ることができるのは勿論のこと、撮影後に無線通信を復帰させ、第１通信部から第２通信部へ放射線画像情報を送信させることができる。
【００３４】
請求項９記載の発明によれば、請求項１〜８の何れか一項に記載の発明と同様の効果を得ることができるのは勿論のこと、連続して放射線撮影を行うことができるので、撮影の効率を高めることができる。
【００３５】
請求項１０記載の発明によれば、請求項１〜９の何れか一項に記載の発明と同様の効果を得ることができるのは勿論のこと、放射線撮影システムの構成を簡素化することができる。
【発明を実施するための最良の形態】
【００３６】
以下に、本発明について、図面を用いて具体的な態様を説明する。ただし、発明の範囲は、図示例に限定されない。
【００３７】
［第１の実施の形態］
図１は、本発明に係る放射線撮影システム１００の概略構成を示す図である。
この図に示すように、放射線撮影システム１００は、被写体ＳにＸ線等の放射線を照射して放射線撮影を行う放射線画像撮影装置３を備えている。
【００３８】
放射線画像撮影装置３は、例えば院内の放射線撮影室に設置されて使用されるものであり、放射線源（放射線照射装置）３１を有している。放射線源３１は、管電圧が印加されることによって放射線を発生するようになっている。放射線源３１の放射線照射口には、放射線照射野を調節する絞り装置３２が、開閉自在に設けられている。
【００３９】
放射線源３１の放射線照射野には、被験者を載置させる寝台３３が配設されている。寝台３３の下方には、後述の放射線画像検出装置（放射線検出装置）２を装着する検出装置装着口（図示せず）が設けられている。検出装置装着口の下部には、被験者を透過する放射線量を検出するフォトタイマ３４が配設されている。このフォトタイマ３４は、被験者を透過する放射線量が所定の線量に到達したときに、放射線源３１による放射線照射を停止させるように後述のコンソール４に対して信号を送信するようになっている。
【００４０】
放射線画像検出装置２は、放射線の強弱を読み取って放射線画像を検出するものである。この放射線画像検出装置２は、カセッテにフラットパネルディテクタ（ＦＰＤ、放射線画像検出部）が収容されてなるカセッテ型ＦＰＤであり、運搬性や取扱い性が高くなっている。なお、図１では、図示の便宜上、放射線画像検出装置２を２つ図示しているが、これらは同一のものである。
【００４１】
また、放射線画像検出装置２は、図２に示すように、平面検出器２４、画像メモリ（記憶装置）２５、電源部２７、ＲＡＭ２２、ＲＯＭ２３及び制御部（通信制御手段）２１を備えて構成されており、各部はバスＡにより接続されている。
【００４２】
平面検出器２４は、例えば、ガラス基板等の所定の基板を有している。この基板上には、放射線をその強度に応じて検出し、電気信号に変換して蓄積する複数の画素がマトリックス状に配列されている。
ここで、平面検出器２４としては、例えば間接型のものや直接型のもの等がある。間接型の平面検出器とは、放射線を蛍光（光）に変換する放射線光変換層と、放射線光変換層により変換された蛍光を検出して電気信号に変換する光電変換層とを備えるものである。直接型の平面検出器とは、放射線光変換層及び光電変換層に替えて、放射線を直接電気信号に変換する放射線受部を有する放射線電気信号変換層を備えるものである。
【００４３】
画像メモリ２５は、平面検出器２４に蓄積された電気信号から取得される放射線画像情報を記憶するようになっており、具体的には、フラッシュメモリ等の不揮発性メモリから構成されている。画像メモリ２５の記憶容量は、複数の放射線画像を記憶可能な大きさとなっている。なお、記憶容量の上限は、当該放射線撮影システム１００の構成等に応じて適当に設定され、例えば、放射線画像を１０程度記憶可能な大きさである。
【００４４】
電源部２７は、放射線画像検出装置２の各部に電源を供給する充電池２７１を有している。充電池２７１は、放射線画像検出装置２の所定位置に設けられた充電用端子（図示せず）を介して充電可能に構成されている。
【００４５】
ＲＡＭ（Random Access Memory）２２は、例えば、揮発性の半導体メモリであり、制御部２１により実行される各種プログラムの作業領域（図示せず）等を構成している。
【００４６】
ＲＯＭ（Read Only Memory）２３は、読み出し専用のメモリであり、各種のプログラムを記憶している。
【００４７】
制御部２１は、例えばＣＰＵ（Central Processing Unit）等から構成され、ＲＯＭ２３に格納される所定のプログラムを読み出してＲＡＭ２２の作業領域に展開し、当該プログラムに従って各種処理を実行するものである。
【００４８】
具体的には、例えば、制御部２１は、平面検出器２４の各画素を構成するＴＦＴ（Thin Film Transistor）等のスイッチング部を制御して、当該各画素に蓄積された電気信号の読み取りをスイッチングしていき、平面検出器２４に蓄積された全ての電気信号を読み取る。これにより、制御部２１は、平面検出器２４から被写体Ｓの放射線画像情報を取得するようになっている。また、制御部２１は、被写体Ｓの新たな放射線撮影の前に、取得した放射線画像情報を画像メモリ２５に記憶させるようになっている。
【００４９】
制御部２１には、無線ＬＡＮ（Local Area Network）等の無線通信方式により後述の通信部４６と双方向の無線通信を行う通信部２６がバスＡを介して接続されている。通信部２６は、制御部２１による制御下において、放射線画像情報などを第２通信部４６に送信するようになっている。この通信部２６は、図１に示すように、放射線画像検出装置２と一体的に設けられている。
【００５０】
また、制御部２１には、通信部２６と通信部４６との間での無線通信を停止させるための停止ボタン（通信制御手段）２８と、停止された通信を復帰させるための復帰ボタン（通信制御手段）２９とがバスＡを介して接続されている。これら停止ボタン２８及び復帰ボタン２９は、図１では図示しないが、放射線画像検出装置２のカセッテから突出した状態で設けられている。
【００５１】
放射線画像撮影装置３には、図１に示すように、放射線画像撮影に関する操作を行うコンソール４がケーブル５を介して接続されている。
【００５２】
コンソール４は、図２に示すように、ディスプレイ（画像表示装置）４４、操作入力部４５、電源部４７、ＲＡＭ４２、ＲＯＭ４３、制御部（通信制御手段）４１等を備えて構成されており、各部はバスＢにより接続されている。
【００５３】
ディスプレイ４４は、例えば、ＣＲＴ（Cathode Ray Tube）やＬＣＤ（Liquid Crystal Display）等を備えて構成され、制御部４１から入力される表示信号の指示に従って、被写体Ｓの放射線画像などの各種画面を表示するものである。
【００５４】
操作入力部４５は、例えば、キーボードやマウス等から構成されており、キーボードで押下操作されたキーの押下信号やマウスによる操作信号を入力信号として制御部４１に出力するものである。
なお、操作入力部４５は、いわゆるタッチパネルにより構成されても良い。ここで、タッチパネルとは、ディスプレイ４４の表示画面を覆う透明なシートパネルに操作者が指又は専用のスタイラスペンで触れることにより、その位置の位置情報を入力信号として入力するものである。
【００５５】
電源部４７は、コンソール４の各部に電源を供給するものである。この電源部４７は、例えば、所定の充電用端子（図示せず）を介して充電可能に構成された充電池を備える構成であっても良いし、交流商用電源に接続するための電源接続部を備える構成であっても良い。
【００５６】
ＲＡＭ４２は、例えば、揮発性の半導体メモリであり、制御部４１により実行される各種プログラムの作業領域（図示せず）等を構成している。また、ＲＡＭ４２は、放射線画像検出装置２の通信部２６から送信された画像情報を記憶するようになっている。
ＲＯＭ４３は、読み出し専用のメモリであり、制御部４１により実行される各種プログラムを記憶している。
【００５７】
制御部４１は、例えば、ＣＰＵ等から構成され、ＲＯＭ４３に格納される所定のプログラムを読み出してＲＡＭ４２の作業領域に展開し、当該プログラムに従って各種処理を実行するものである。
【００５８】
この制御部４１には、放射線画像検出装置２の通信部２６との間で各種情報の無線通信を行う通信部４６がバスＢを介して接続されている。この通信部４６は、制御部４１による制御下において、被験者の情報等を通信部２６に送信するようになっている。
【００５９】
続いて、心臓にペースメーカを装着している被験者に対して放射線撮影を行う場合における放射線撮影システム１００の動作について説明する。
【００６０】
まず、撮影者によって放射線の照射タイミング等の撮影条件や被験者の情報などがコンソール４の操作入力部４５に入力されると、コンソール４の制御部４１が通信部４６及び通信部２６を介してこれらの情報を放射線画像検出装置２の制御部２１に送信するとともに、ケーブル５を介して放射線画像撮影装置３に送信する。
【００６１】
次に、被験者が心臓にペースメーカを装着していることを確認したら、撮影者は放射線画像検出装置２の停止ボタン２８を押す。これにより、通信部２６と通信部４６との間での無線通信が停止する。具体的には、まず、放射線画像検出装置２の制御部２１が、通信部２６及び通信部４６を介してコンソール４の制御部４１に通信停止情報を送信する。制御部４１は、通信停止情報を受信したら、通信部４６における無線送信を停止させるとともに、通信部４６を受信待機状態とする。また、制御部２１は、通信停止情報を送信したら、通信部２６における無線送信を停止させるとともに、通信部２６を受信待機状態とする。
【００６２】
次に、放射線画像検出装置２を用いて放射線画像撮影装置３が被写体Ｓの放射線撮影を行う。具体的には、まず、コンソール４が所定の管電圧値、線量及び照射野絞り値に基づいて放射線源３１、フォトタイマ３４及び絞り装置３２を制御することにより、放射線画像撮影装置３が放射線を被験者に対して照射する。これにより、寝台３３の下方に装着されている放射線画像検出装置２の平面検出器２４は、被写体Ｓを透過した放射線を検出し、電気信号に変換して各画素に蓄積する。次に、放射線画像検出装置２の制御部２１は、平面検出器２４から被写体Ｓの放射線画像情報を取得し、画像メモリ２５に記憶させる。
【００６３】
このように、通信部２６及び通信部４６の間での無線通信、特に送信を停止した状態で放射線撮影を行うことにより、撮影された放射線画像情報が通信部２６から通信部４６に送信されないため、被験者のペースメーカが誤作動することはない。
なお、この放射線撮影は複数回行われることとしても良い。
【００６４】
放射線撮影が終了したら、撮影者は、被験者が放射線画像検出装置２から離れたことを確認した後、放射線画像検出装置２の復帰ボタン２９を押す。これにより、通信部２６と通信部４６との間での無線通信が復帰する。具体的には、放射線画像検出装置２の制御部２１が、通信部２６における無線送信の停止を解除し、通信部２６及び通信部４６を介してコンソール４の制御部４１に通信復帰情報を送信する。また、制御部４１は、通信復帰情報を受信したら、通信部４６における無線送信の停止を解除する。
【００６５】
次に、制御部２１は、画像メモリ２５に記憶された放射線画像情報を通信部２６から通信部４６に送信させる。
そして、通信部４６が受信した放射線画像情報をコンソール４のディスプレイ４４が表示する。
【００６６】
以上のように、第１の実施の形態の放射線撮影システム１００によれば、通信部２６及び通信部４６の間での無線通信を停止させた状態で放射線撮影を行うことができるため、従来と異なり、被験者のペースメーカを誤作動させることなく放射線撮影を行うことができる。
【００６７】
また、通信部２６及び通信部４６を受信待機状態とするので、通信部２６及び通信部４６の間での送受信をともに停止させる場合と比較して、無線通信の制御を容易にすることができる。
【００６８】
また、放射線画像検出装置２の画像メモリ２５の記憶容量が複数の放射線画像を記憶可能な大きさであるので、１つの放射線画像情報のみを記憶可能な大きさである場合と異なり、ペースメーカを装着した被験者に対し、放射線撮影と、被験者を退避させた上での放射線画像情報の送信とを交互に行う必要がなく、連続して放射線撮影を行うことができるので、撮影の効率を高めることができる。
【００６９】
［第２の実施の形態］
以下に、第２の実施の形態の放射線撮影システム２００について、図３を参照して説明する。なお、上記第１の実施の形態と同様の構成には同一の符号を付してその説明を省略する。
【００７０】
図３に示すように、第２の実施の形態の放射線撮影システム２００は、上記放射線撮影システム１００の放射線画像検出装置２に替えて放射線画像検出装置２Ａを、コンソール４に替えてコンソール４Ａを備えている。
【００７１】
放射線画像検出装置２Ａの制御部（通信制御手段）２１Ａは、バスＡを介して平面検出器２４、画像メモリ２５、電源部２７、ＲＡＭ２２、ＲＯＭ２３、通信部２６及び停止ボタン２８と接続されている。
【００７２】
コンソール４Ａの操作入力部４５Ａは、停止中の通信部２６及び通信部４６の間の無線通信を復帰させるための復帰ボタン（復帰手段）２９Ａを有している。
この復帰ボタン２９Ａは、バスＢを介してコンソール４Ａの制御部（通信制御手段）４１Ａに接続されている。
【００７３】
続いて、心臓にペースメーカを装着している被験者に対して放射線撮影を行う場合における放射線撮影システム２００の動作について説明する。
【００７４】
まず、撮影者によって放射線の照射タイミング等の撮影条件や被験者の情報などがコンソール４Ａの操作入力部４５に入力されると、コンソール４Ａの制御部４１Ａが通信部４６及び通信部２６を介してこれらの情報を放射線画像検出装置２Ａの制御部２１Ａに送信するとともに、ケーブル５を介して放射線画像撮影装置３に送信する。
【００７５】
次に、被験者が心臓にペースメーカを装着していることを確認したら、撮影者は放射線画像検出装置２Ａの停止ボタン２８を押すことにより、通信部２６と通信部４６との間での無線通信を停止させる。
次に、放射線画像撮影装置３は、上記第１の実施の形態と同様に、放射線画像検出装置２Ａを用いて被写体Ｓの放射線撮影を行う。
【００７６】
放射線撮影が終了したら、撮影者は、被験者が放射線画像検出装置２Ａから離れたことを確認した後、コンソール４Ａの復帰ボタン２９Ａを押す。これにより、通信部２６と通信部４６との間での無線通信が復帰する。具体的には、コンソール４Ａの制御部４１Ａが、通信部２６における無線送信の停止を解除し、通信部４６及び通信部２６を介して放射線画像検出装置２Ａの制御部２１Ａに通信復帰情報を送信する。また、制御部２１Ａは、通信復帰情報を受信したら、通信部２６における無線送信の停止を解除する。
【００７７】
次に、制御部２１Ａは、画像メモリ２５に記憶された放射線画像情報を通信部２６から通信部４６に送信させる。
そして、通信部４６が受信した放射線画像情報をコンソール４Ａのディスプレイ４４が表示する。
【００７８】
以上の放射線撮影システム２００によっても、上記放射線撮影システム１００と同様の効果を得ることができる。
【００７９】
［第３の実施の形態］
以下に、第３の実施の形態の放射線撮影システム３００について、図４を参照して説明する。なお、上記第１の実施の形態と同様の構成には同一の符号を付してその説明を省略する。
【００８０】
図４に示すように、第３の実施の形態の放射線撮影システム３００は、上記放射線撮影システム１００の放射線画像検出装置２に替えて放射線画像検出装置２Ｂを、コンソール４に替えてコンソール４Ｂを備えている。
【００８１】
放射線画像検出装置２Ｂの制御部（通信制御手段）２１Ｂは、バスＡを介して平面検出器２４、画像メモリ２５、電源部２７、ＲＡＭ２２、ＲＯＭ２３及び通信部２６と接続されている。
【００８２】
コンソール４Ｂの操作入力部４５Ｂは、通信部２６と通信部４６との間での無線通信を停止させるための停止ボタン（通信制御手段）２８Ｂと、前記復帰ボタン２９Ａとを有している。
これら停止ボタン２８Ｂ及び復帰ボタン２９Ａは、バスＢを介してコンソール４Ｂの制御部（通信制御手段）２１Ｂに接続されている。
【００８３】
続いて、心臓にペースメーカを装着している被験者に対して放射線撮影を行う場合における放射線撮影システム３００の動作について説明する。
【００８４】
まず、撮影者によって放射線の照射タイミング等の撮影条件や被験者の情報などがコンソール４Ｂの操作入力部４５に入力されると、コンソール４Ｂの制御部４１Ｂが通信部４６及び通信部２６を介してこれらの情報を放射線画像検出装置２Ｂの制御部２１Ｂに送信するとともに、ケーブル５を介して放射線画像撮影装置３に送信する。
【００８５】
次に、被験者が心臓にペースメーカを装着していることを確認したら、撮影者はコンソール４Ｂの停止ボタン２８Ｂを押す。これにより、通信部２６と通信部４６との間での無線通信が停止する。具体的には、まず、コンソール４Ｂの制御部２１Ｂが、通信部４６及び通信部２６を介して放射線画像検出装置２Ｂの制御部２１Ｂに通信停止情報を送信する。制御部２１Ｂは、通信停止情報を受信したら、通信部２６における無線送信を停止させるとともに、通信部２６を受信待機状態とする。また、制御部４１Ｂは、通信停止情報を送信したら、通信部４６における無線送信を停止させるとともに、通信部４６を受信待機状態とする。
【００８６】
次に、放射線画像撮影装置３は、上記第１の実施の形態と同様に、放射線画像検出装置２Ｂを用いて被写体Ｓの放射線撮影を行う。
放射線撮影が終了したら、撮影者は、被験者が放射線画像検出装置２Ｂから離れたことを確認した後、コンソール４Ｂの復帰ボタン２９Ａを押すことにより、通信部２６と通信部４６との間での無線通信を復帰させる。
【００８７】
次に、制御部２１Ｂは、画像メモリ２５に記憶された放射線画像情報を通信部２６から通信部４６に送信させる。
そして、通信部４６が受信した放射線画像情報をコンソール４Ｂのディスプレイ４４が表示する。
【００８８】
以上の放射線撮影システム３００によっても、上記放射線撮影システム１００と同様の効果を得ることができる。
【００８９】
なお、本発明は、上記実施の形態に限定されることなく、本発明の趣旨を逸脱しない範囲において、種々の改良並びに設計の変更を行っても良い。
【００９０】
例えば、上記第１〜第３の実施の形態では、復帰ボタン２９，２９Ａを押すことにより通信部２６と通信部４６との間での無線通信の停止が解除されることとして説明したが、所定の時間が経過したら解除されることとしても良い。この場合には、復帰ボタン２９，２９Ａを押す手間を省くことができるため、より容易に放射線画像情報をコンソール４，４Ａ，４Ｂに送信させることができる。
【００９１】
また、停止した無線通信を復帰させるための復帰ボタンを放射線画像検出装置２とコンソール４との何れか一方にのみ接続することとして説明したが、両方に対してそれぞれ別個の復帰ボタンを接続することとしても良い。この場合には、通信復帰情報を無線で送信することなく通信部２６及び通信部４６の無線通信を復帰させることができるため、無線通信を停止する場合に、通信部２６及び通信部４６を受信待機状態にする必要がない。従って、通信部２６及び通信部４６における送受信の両方を停止させることができるため、送信のみを停止させる場合と異なり、ペースメーカの誤作動をより確実に防止することができる。
【００９２】
また、停止ボタンが押された場合には通信部２６及び通信部４６の間での無線送信をともに停止させることとして説明したが、通信部２６から通信部４６への無線送信のみを停止させることとしても良い。この場合には、無線通信の復帰タイミングや、放射線源３１からの照射タイミングに関する情報を通信部４６から通信部２６に送信することができるため、無線通信の制御を容易にすることができる。
【００９３】
また、放射線画像検出装置２，２Ａ，２Ｂ及びコンソール４，４Ａ，４Ｂに係る機能は、集積回路からなる中央処理装置（ＣＰＵ）において所定のプログラム等が実行されることにより実現されることとしたが、これに限られるものではなく、例えば、各種機能を実現するためのロジック回路によって実現されても良い。
【図面の簡単な説明】
【００９４】
【図１】本発明に係る放射線撮影システムの概略構成を示す図である。
【図２】第１の実施の形態における放射線撮影システムの概略構成を示すブロック図である。
【図３】第２の実施の形態における放射線撮影システムの概略構成を示すブロック図である。
【図４】第３の実施の形態における放射線撮影システムの概略構成を示すブロック図である。
【符号の説明】
【００９５】
２，２Ａ，２Ｂ          放射線画像検出装置（放射線検出装置）
４                      コンソール
２１，２１Ａ，２１Ｂ    制御部（通信制御手段）
２５                    画像メモリ（記憶装置）
２６                    通信部（第１通信部、無線通信手段）
２８                    停止ボタン（通信制御手段）
２８Ａ，２８Ｂ          停止ボタン（停止手段、通信制御手段）
２９                    復帰ボタン（通信制御手段）
２９Ａ，２９Ｂ          復帰ボタン（復帰手段、通信制御手段）
３１                    放射線源（放射線照射装置）
４１，４１Ａ，４１Ｂ    制御部（通信制御手段）
４４                    ディスプレイ（画像表示装置）
４５                    操作入力部
４６                    通信部（第２通信部、無線通信手段）
１００、２００、３００  放射線撮影システム
Ｓ                      被写体
【図１】
2006116205.tif 000003
【図２】
2006116205.tif 000004
【図３】
2006116205.tif 000005
【図４】
2006116205.tif 000006